(57)【要約】【課題】不要な太陽光或いは照明光を良好に遮蔽することができ、かつ必要な場合にのみ使用できると共に、大きさの異なるレンズフードに対しても容易に取付け可能にする。【解決手段】サンシェード板１８を中央部で支持する支持部２０の下側に、上下面に弾性ゴム板を配置した間隙部を有する第１保持部１９が設けられ、また支持部２０の上側に、右側部で水平方向に移動自在となる右アーム２３Ａと、左側部で移動自在となる左アーム２３Ｂが設けられ、この左右のアーム２３Ａ，２３Ｂの先端に、ネジ締め固定部からなる第２保持部２２Ａ，２２Ｂが設けられる。そして、レンズフード１２先端周縁部１２ｃの上側を第１保持部１９へ差込み固定し、先端周縁部１２ｃの左右側を第２保持部２２Ａ，２２Ｂでネジ締め固定することにより、サンシェード１４がレンズフード１２へ取り付けられる。また、上記アーム２３Ａ，２３Ｂに、側面サンシェード板を配置してもよい。【選択図】図１
2009145880.tif 000002
【特許請求の範囲】
【請求項１】
カメラレンズ部へ入射する不要光を遮蔽するため、上下方向へ揺動可能となるように第１支持部に取り付けられたサンシェード板と、
上記第１支持部に設けられ、上記カメラレンズ部のレンズフードの先端周縁部の一部を保持する第１保持部と、
上記レンズフードの開口幅方向へ移動可能に上記第１支持部に取り付けられ、該開口幅の異なるレンズフードの先端周縁部の一部を保持する第２保持部が配置されたアームと、を設け、
大きさの異なる上記レンズフードに着脱自在に取り付けてなるカメラレンズ用サンシェード。
【請求項２】
上記サンシェード板を上面に配置すると共に、上記アームを上記レンズフードの開口幅左右方向へ移動可能に取り付け、このアームの第２支持部に、カメラレンズ部へ入射する不要光を遮蔽するため左右方向へ揺動可能となる側面サンシェード板を設けたことを特徴とする請求項１記載のカメラレンズ用サンシェード。
【請求項３】
上記アームの第２保持部として、ネジ締め方式で上記レンズフードの先端周縁部の左右側を固定するネジ締め固定部を設けたことを特徴とする請求項１又は２記載のカメラレンズ用サンシェード。
【請求項４】
上記第１又は第２支持部に対し回動可能に取り付けられた取付け軸に、上記サンシェード板を圧入するためのスリットを設け、このスリットに、大きさの異なるサンシェード板を取付け可能に構成したことを特徴とする請求項２又は３記載のカメラレンズ用サンシェード。
【発明の詳細な説明】
【技術分野】
【０００１】
本発明はカメラレンズ用サンシェード、特にテレビカメラ又はビデオカメラ等に用いられ、不要な太陽光や照明光の入射を阻止する遮蔽体の構成に関する。
【背景技術】
【０００２】
テレビレンズやビデオカメラでは、日除けのため或いは不要な光がレンズ部に入ることを防ぐために、レンズフードが使用されており、このレンズフードを用いる例えばテレビカメラの構成は図１０のようになっている。
【０００３】
図１０において、テレビカメラのレンズ部１はカメラ本体２に対し着脱自在に取り付けられ、このレンズ部１の先端に、レンズフード３が同様に着脱自在に取り付けできるようになっている。このレンズフード３によれば、レンズ部１へ入射する太陽光や照明光をαの角度に制限することができ、撮影を妨害するような太陽光や照明光の入射を防止することができる。また、このようなレンズフード３としては、図示のように、太陽光や周囲の明るさに応じて、その先端開口の大きさや奥行き（深さ）の異なる各種のものが使用されている。
【特許文献１】実開昭６１−９４８２３号公報
【発明の開示】
【発明が解決しようとする課題】
【０００４】
しかしながら、従来のレンズフード３では、例えばカップ状とされ、全方位方向に遮蔽部が設けられる構成のため、太陽光のように上方から入射する強い光、或いは一方向から入射する強い照明光については、不要な光を十分に除去できないという問題がある。一方、一方向からの光を遮るために、奥行きの長いレンズフードを用いると、撮影に必要な光が不足する等の不都合が生じる。
【０００５】
更に、上記特許文献１では、フードの上側から光軸に垂直に遮蔽板を設けると共に、この遮蔽板を上下移動可能にすることが開示されているが、この遮蔽板は、個々のテレビカメラに対して或いは個々のフード毎に取り付けなければならず、遮蔽板が不要な撮影状況に対応することができない。
【０００６】
本発明は上記問題点に鑑みてなされたものであり、その目的は、上方から入射する不要な太陽光、或いは一方向から入射する不要な照明光を良好に遮蔽することができ、かつ必要な場合にのみ使用できると共に、大きさの異なるレンズフードに対しても容易に取付け可能となるカメラレンズ用サンシェードを提供することにある。
【課題を解決するための手段】
【０００７】
上記目的を達成するために、請求項１の発明に係るカメラレンズ用サンシェードは、カメラレンズ部へ入射する不要光を遮蔽するため、上下方向（仰俯角）へ揺動可能となるように第１支持部に取り付けられたサンシェード板（遮蔽板）と、上記第１支持部に設けられ、上記カメラレンズ部のレンズフードの先端周縁部の一部を保持する第１保持部と、上記レンズフードの開口幅方向へ移動可能に上記第１支持部に取り付けられ、該開口幅の異なるレンズフードの先端周縁部の一部を保持する第２保持部が配置されたアームと、を設け、大きさの異なる上記レンズフードに着脱自在に取り付けてなることを特徴とする。
請求項２の発明は、上記サンシェード板を上面に配置すると共に、上記アームを上記レンズフードの開口幅左右方向へ移動可能に取り付け、このアームの第２支持部に、カメラレンズ部へ入射する不要光を遮蔽するため左右方向へ揺動可能となる側面サンシェード板を設けたことを特徴とする。
請求項３の発明は、上記アームの第２保持部として、ネジ締め方式で上記レンズフードの先端周縁部の左右側を固定するネジ締め固定部を設けたことを特徴とする。
請求項４の発明は、上記第１又は第２支持部に対し回動可能に取り付けられた取付け軸に、上記サンシェード板を圧入するためのスリットを設け、このスリットに、大きさの異なるサンシェード板を取付け可能に構成したことを特徴とする。
【０００８】
本発明の構成によれば、上面サンシェード板を支持する第１支持部の下側に、例えば上下両面に弾性部材（弾性ゴム、板バネ等）を配置して間隙部を形成した第１保持部が設けられ、またこの第１支持部の上側に、右側部で水平方向に移動可能（進退自在）となる右アームと左側部で水平方向に移動可能となる左アームが設けられ、この左右アームの垂直部先端に、ネジ締め固定部からなる第２保持部が設けられる。従って、レンズフード先端（開口）周縁部の上側を第１保持部の間隙部へ差込み固定し、レンズフード先端周縁部の左右側を第２保持部のネジ締め固定部で固定することにより、上面サンシェードがレンズフードへ取り付けられ、この状態で、サンシェード板を上下方向へ揺動させその傾斜角度を決めれば、上方等から入射する不要光を良好に遮ることができる。なお、上記第１及び第２保持部は、レンズフード先端周縁部の周方向の何れの場所にも取り付けることができ、任意の方向からの不要光の遮蔽が可能である。
【０００９】
また、請求項２の発明によれば、例えば左右の側面サンシェード板が第２支持部に左右方向へ揺動可能に設けられることになり、上面サンシェードに代えて又は上面サンシェードと共に、左右の側面サンシェードを適宜、揺動配置することにより、不要光を良好に遮ることができる。
【発明の効果】
【００１０】
本発明のカメラレンズ用サンシェードによれば、レンズフードに着脱自在となるので、必要な場合にのみ使用でき、上面サンシェード板の上下の傾斜角度又は側面サンシェード板の左右の傾斜角度を調整しながら、上方又は左右から入射する不要な太陽光、或いは一方向から入射する不要な照明光を良好に遮蔽することが可能となる。また、進退移動自在となるアームが設けられるので、大きさの異なるレンズフードに対しても容易に取り付けることができ、使い勝手のよいサンシェードを得ることが可能になる。
【発明を実施するための最良の形態】
【００１１】
図１には、第１実施例に係るカメラレンズ用サンシェード（レンズフードに取り付けたもの）の正面図、図２にはその背面図、図３には、テレビカメラの全体図が示されており、図３に示されるように、テレビカメラでは、カメラ本体１０にレンズ部１１が着脱自在に取り付けられ、このレンズ部１１にレンズフード１２が同様に着脱自在に取り付けられる。即ち、図２に示されるように、レンズフード１２の背面のレンズ部取付け口１２ａには、固定ネジ１６が設けられており、上記取付け口１２ａをレンズ部１１の先端外周に嵌合させ、固定ネジ１６によってレンズフード１２をレンズ部１１に取り付けることができる。そして、本発明のサンシェード１４は、このレンズフード１２の先端（開口）周縁部に着脱自在に取り付けられるように構成される。
【００１２】
このレンズフード１２は、一般に知られるように、硬質又は軟質の材料等からカップ状に形成され、図１に示されるように、その先端開口は角形となるものや円形となるもの等があり、この先端開口の大きさと奥行きのサイズも異なる各種のものが用いられている。
【００１３】
図１に示されるように、第１実施例のサンシェード１４は、先端へ向けて広がる扇形状のサンシェード板（遮蔽板）１８と、第１保持部１９を有する支持部２０、第２保持部２２Ａを有する右アーム（ステー）２３Ａ及び第２保持部２２Ｂを有する左アーム（ステー）２３Ｂを有してなる。
【００１４】
図４乃至図６には、第１実施例のサンシェード１４の主要部の詳細な構成が示されており、図４（Ａ）は背面図、図４（Ｂ）は上面図、図４（Ｃ）は側面図、図４（Ｄ）は第２保持部を下側から見た図である。この図４（Ｃ）に示されるように、サンシェード板１８は、支持部２０の中央部に設けられた取付け軸（回動軸）２５に取り付けられる。図６に、このサンシェード板１８と取付け軸２５の構成が示されており、この取付け軸２５は、両端にスリット２５Ｌが形成された円柱体を円筒部材内に嵌合固定したものであり、この取付け軸２５は、支持部２０の上下中央部の左右中心部に所定の摩擦抵抗が付与された状態で回動可能に配置される。
【００１５】
一方、図６（Ａ）に示されるように、サンシェード板１８の基部には、凹状の切込み１８ｃが形成されており、この切込み１８ｃに取付け軸２５の中心部（円筒部材）を合わせながら、サンシェード板１８の切込み１８ｃの両端部を上記スリット２５Ｌに圧入することにより、サンシェード板１８を取付け軸２５に取付け固定することができる。即ち、スリット２５Ｌの幅をサンシェード板１８の厚みより少し小さくしておき、挿入圧力を加えながらサンシェード板１８をスリット２５Ｌに差し込むようにすれば、サンシェード板１８を取付け軸２５に固定することができる。このようなサンシェード板１８の取付けによれば、任意の大きさのサンシェード板１８の交換が容易となる。なお、このサンシェード板１８の取付けは、ネジ等の固定手段を用いて行ってもよい。
【００１６】
上記上面サンシェード板１８に対しては、図４（Ａ），（Ｃ）に示されるように、摩擦発生（押圧）部材２６と調整ネジ２７とからなるフリクション機構が設けられており、このフリクション機構では、摩擦発生部材２６を取付け軸２５の後側に接触させ、この摩擦発生部材２６の後側に調整ネジ２７を配置する。これによれば、調整ネジ２７により取付け軸２５に対する摩擦発生部材２６の押圧力を調整し、適切な摩擦抵抗を与えることにより、サンシェード板１８を設定した傾斜角度に維持することができる。
【００１７】
また、第１実施例では、図４（Ａ），（Ｃ）に示されるように、上記支持部２０の下側に第１保持部１９が設けられる。この第１保持部１９は、金属板をコ字状に折り曲げ、その内側上下面に弾性ゴム板２９が２枚ずつ４枚取り付けられた間隙部を形成したものであり、この第１保持部１９の上下弾性ゴム板２９の間隙部に、レンズフード１２の先端周縁部１２ｃを挿入することで、レンズフード１２を挟持する。
【００１８】
更に、図４（Ａ），（Ｂ）に示されるように、支持部２０の上側に右アーム２３Ａと左アーム２３Ｂとが水平方向へ進退（スライド）自在に取り付けられている。即ち、これら右アーム２３Ａ及び左アーム２３Ｂは、細長い平板を９０度の角度で折り曲げ形成したもので、その水平部に長孔３１が形成され、この長孔３１内にアーム固定ネジ３２が挿入配置されており、このアーム固定ネジ３２は、例えばアーム下側に配置された台座に螺合結合することで、右アーム２３Ａ及び左アーム２３Ｂを固定することができる。従って、右アーム２３Ａと左アーム２３Ｂは図４の位置から左右方向へ移動することになり、これら各アーム２３Ａ，２３Ｂは任意の位置でアーム固定ネジ３２により固定される。
【００１９】
この各アーム２３Ａ，２３Ｂの垂直部の下側には、第２保持部２２Ａ，２２Ｂが設けられており、この第２保持部２２Ａ，２２Ｂは、図４（Ｄ）に示されるように、コ字状部材３４、固定ネジ３５、押圧部３６を有してなり、レンズフード１２の先端周縁部１２ｃをコ字状部材３４内に配置し、かつ固定ネジ３５の先端の押圧部３６で押さえることにより、レンズフード１２を保持することができる。
【００２０】
第１実施例は以上の構成からなり、まず図４（Ａ）に示されるように、上述した支持部２０の第１保持部１９の上下弾性ゴム板２９の間隙に、レンズフード１２の先端（開口）周縁部（上側）１２ｃを挟み込んで保持する。次に、右アーム２３Ａと左アーム２３Ｂを左右へ移動させ、その位置をレンズフード１２の先端周縁部１２ｃの左右幅に合わせて決定し、第２保持部２２Ａ，２２Ｂのコ字状部材３４内に先端周縁部１２ｃを配置し、固定ネジ３５及び押圧部３６で先端周縁部（左右側）１２ｃを固定する。その後又は第２保持部２２Ａ，２２Ｂによる固定の前に、アーム固定ネジ３２で左右アーム２３Ａ，２３Ｂを支持部２０にしっかりと固定することにより、サンシェード１４が装着される。
【００２１】
このようにして装着されたサンシェード１４では、サンシェード板１８の上下方向の角度（仰俯角）が取付け軸２５の回動により任意に設定することができ、これにより上方等からの不要な太陽光又は照明光を良好に遮蔽することが可能になる。また、このサンシェード１４では、第１保持部１９でレンズフード１２の例えば先端周縁部１２ｃの右側又は左側を保持し、第２保持部２２Ａ，２２Ｂで先端周縁部１２ｃの上側及び下側を保持すれば、サンシェード１４をレンズフード１２の右側又は左側に配置することもできる。
【００２２】
図５には、図４のレンズフード１２よりも先端開口の大きなレンズフード３８にサンシェード１４を取り付けるときの状態が示されており、この場合は、図示のように、図４の場合と比較して、右アーム２３Ａを右方向へ左アーム２３Ｂを左方向へ更にスライドさせ、第２保持部２２Ａ，２２Ｂでレンズフード３８の先端周縁部３８ｃの右側と左側を保持させる。このようにして、先端開口の大きさの異なる各種のレンズフード１２，３８に対しても、サンシェード１４を容易に取り付けて使用することができる。
【００２３】
また、第１実施例では、上記サンシェード板１８を取付け軸２５のスリット２５Ｌに圧入によって取り付ける構成となるので、サンシェード板１８を容易に交換し、大きさの異なる各種のサンシェード板１８を使用することが可能になる。
【００２４】
更に、第１保持部１９として弾性部材を配置した間隙部を用い、第２保持部２２Ａ，２２Ｂとしてネジ締め固定部を用いたが、第１保持部１９にネジ締め固定部を採用し、第２保持部２２Ａ，２２Ｂに弾性部材を配置した間隙部を採用してもよい。また、これら第１保持部１９及び第２保持部２２Ａ，２２Ｂとして、ワンタッチで固定が可能な他の形式の固定具（バネ式固定具等）を用いることも可能である。
【００２５】
図７乃至図９には、第２実施例に係るカメラレンズ用サンシェードが示されており、この第２実施例は、上面サンシェード板と左右の側面サンシェード板を設けたものである。図７及び図８に示されるように、第２実施例のサンシェード１１４は、第１実施例と同様に、第１支持部２０に、上面サンシェード板１８を配置すると共に、右アーム２３Ａ、左アーム２３Ｂのそれぞれに設けた第２支持部５０Ａ，５０Ｂに、図示形状の右側面サンシェード板（遮蔽板）５１Ａ、左側面サンシェード板５１Ｂを配置したものである。
【００２６】
まず、上面サンシェード板１８を第１支持部２０に取り付ける構成は、第１実施例と同様であるが、この第２実施例では、図９（Ａ）に示されるように、第１支持部２０のレンズフード１２への取付けを、上記の弾性ゴム板２９を用いずネジ締め固定式としている。即ち、第１支持部２０の左右中心位置に、上下方向に貫通するようにフード固定ネジ５３が取り付けられ、このフード固定ネジ５３の先端押圧部５３ａが第１保持部１９の隙間に挿入されたレンズフード１２の先端周縁部１２ｃ(上辺)を固定するように構成される。また、摩擦発生部材２６を取付け軸２５に押圧する調整ネジ１２７は、回転操作部（ツマミ）を有する構成となっている。
【００２７】
そして、左右のアーム２３Ａ，２３Ｂには、左右の側面サンシェード板５１Ａ，５１Ｂを支持するための第２支持部５０Ａ，５０Ｂが設けられ、右側第２支持部５０Ａに第２保持部１２２Ａ、左側第２支持部５０Ｂに第２保持部１２２Ｂが設けられる。この第２保持部１２２Ａ，１２２Ｂは、第１実施例の構成と同様であり、図９（Ｂ）に示されるように、Ｕ字状部１３４と、押圧部１３６を有するフード固定ネジ１３５を有しており、上記Ｕ字状部１３４に挿入したレンズフード１２の先端周縁部１２ｃ(左右辺)を、フード固定ネジ１３５の押圧部１３６で固定できるようになる。
【００２８】
図９（Ｃ），（Ｄ）には、左右の側面サンシェード板５１Ａ，５１Ｂの取付け構造が示されており、上記第２支持部５０Ａには、Ｕ字状部材５４の前側曲げ部（円弧部）内に取付け軸５５が設けられる。この取付け軸５５は、上記取付け軸２５と同様に、両端にスリット５５Ｌが形成されており、このスリット５５Ｌに側面サンシェード板５１Ａ，５１Ｂを差し込むようになっている。この側面サンシェード板５１Ａ，５１Ｂは、取付け軸５５の側面を貫通するように設けられたネジ５７（例えば六角レンチで廻す構成）で固定するようになっている。これによれば、異なる大きさの側面サンシェード板５１Ａ，５１Ｂを選択的に取り付けることができる。
【００２９】
また、図９（Ｄ）に示されるように、左右の側面サンシェード板５１Ａ，５１Ｂについても、摩擦発生（押圧）部材５８と回転操作ツマミを有する調整ネジ５９とからなるフリクション機構が設けられており、上記調整ネジ５９により取付け軸５５に対する摩擦発生部材５８の押圧力を調整し、適切な摩擦抵抗を与えることにより、左右の側面サンシェード板５１Ａ，５１Ｂを設定した傾斜角度に固定・維持することができる。
【００３０】
このような第２実施例の構成によれば、図８又は図７に示されるように、第１支持部２０の第１保持部１９の間隙に、レンズフード１２の先端周縁部（上側）１２ｃを挟み込み、この周縁部１２ｃをフード固定ネジ５３の押圧部５３ａで押さえると共に、右アーム２３Ａと左アーム２３Ｂの第２保持部１２２Ａ，１２２ＢのＵ字状部１３４内に先端周縁部(左右側)１２ｃを挟み込み、この周縁部１２ｃをフード固定ネジ１３５の押圧部１３６で押さえることにより、サンシェード１１４がレンズフード１２に装着される。
【００３１】
このようにして装着されたサンシェード１１４では、上面サンシェード板１８の上下方向の角度（仰俯角）が取付け軸２５の回動により任意に設定することができるだけでなく、右側面サンシェード板５１Ａと左側面サンシェード板５１Ｂの左右方向の角度が取付け軸５５の回動により任意に設定でき、これにより上方、右方又は左方からの不要な太陽光又は照明光を良好に遮蔽することが可能になる。しかも、この上面サンシェード板１８、右側面又は左側面のサンシェード板５１Ａ，５１Ｂは、１つ又は複数を遮蔽板として選択的に使用することが可能になる。
【００３２】
また、第２実施例でも、図５で説明したように、先端開口の大きさの異なるレンズフード３８等に対応でき、この場合は、上述したように取付け軸５５のスリット５５Ｌにサンシェード板５１Ａ，５１Ｂを圧入する構成で、レンズフード３８の先端開口に適した大きさの左右の側面サンシェード板５１Ａ，５１Ｂを使用することができる。
【００３３】
なお、上記第１及び第２実施例では、先端開口が角形となるレンズフード１２，３８を用いたが、本発明の構成は、円形のレンズフードに対しても同様に適用することができる。
【図面の簡単な説明】
【００３４】
【図１】本発明の第１実施例に係るカメラレンズ用サンシェードをレンズフードへ取り付けたときの構成を示す正面図である。
【図２】図１のカメラレンズ用サンシェード及びレンズフードの背面図である。
【図３】第１実施例のカメラレンズ用サンシェード及びレンズフードをテレビカメラに取り付ける状態を示す斜視図である。
【図４】第１実施例のカメラレンズ用サンシェードの構成を示し、図（Ａ）は主要部の背面図、図（Ｂ）は上面図、図（Ｃ）は側面図、図（Ｄ）は第２保持部を下側から見た図である。
【図５】第１実施例において、図４のレンズフードよりも大きなレンズフードに対応する場合の状態を示し、図（Ａ）は主要部の背面図、図（Ｂ）は上面図である。
【図６】第１実施例のサンシェード板及び取付け軸の構成を示し、図（Ａ）はサンシェード板を取付け軸に取付ける前の図、図（Ｂ）は取付け軸の一部断面図、図（Ｃ）は取付け軸の側面図である。
【図７】第２実施例のカメラレンズ用サンシェードをレンズフードへ取り付けたときの構成を示す正面図である。
【図８】図７のカメラレンズ用サンシェードの背面図である。
【図９】第２実施例のカメラレンズ用サンシェードの構成を示し、図（Ａ）は第１保持部を有する第１支持部の側面図、図（Ｂ）は第２保持部の側面（図８の上方から見た側面）図、図（Ｃ）は第２支持部の右側面図、図（Ｄ）は図（Ｃ）を下側から見た図である。
【図１０】従来のテレビカメラ及びレンズレンズフードの構成を示す図である。
【符号の説明】
【００３５】
１１…レンズ部、            １２，３８…レンズフード、
１２ｃ，３８ｃ…先端（開口）周縁部、
１４，１１４…カメラレンズ用サンシェード、
１８…サンシェード板（又は上面サンシェード板）、
１９…第１保持部、          ２０…支持部（第１支持部）、
２２Ａ，２２Ｂ，１２２Ａ，１２２Ｂ…第２保持部、
２３Ａ…右アーム、          ２３Ｂ…左アーム、
２５，５５…取付け軸、      ２５Ｌ，５５Ｌ…スリット、
２９…弾性ゴム板、          ３１…長孔、
３２…アーム固定ネジ、      ３５，５３，１３５…フード固定ネジ、
５０Ａ，５０Ｂ…第２支持部、５１Ａ，５１Ｂ…左右側面サンシェード板。
【図１】
2009145880.tif 000003
【図２】
2009145880.tif 000004
【図３】
2009145880.tif 000005
【図４】
2009145880.tif 000006
【図５】
2009145880.tif 000007
【図６】
2009145880.tif 000008
【図７】
2009145880.tif 000009
【図８】
2009145880.tif 000010
【図９】
2009145880.tif 000011
【図１０】
2009145880.tif 000012